(57)【要約】【課題】折り畳まれて矩形形状を呈するのが一般的な広告用チラシの形態を差別化し、着眼率を上げること。【解決手段】本発明の広告用チラシは、折り線ａ，ｂを介して隣り合う複数の印刷紙片を有し、印刷の流れ方向に対して直角方向の少なくとも一つの端部に一定ピッチで連続する切欠が設けられている構成とする。端部が切欠のある変形したものとなるので、矩形形状に折り畳まれた画一的なチラシ群の中から異なる端部形状を手掛かりに、生活者は当該チラシを容易に探し出すことができる。また、広告主にとっては、着眼率をアップさせる広告用チラシを作製することができる。【選択図】図１
2005254466.tif 000002
【特許請求の範囲】
【請求項１】
折り線を介して隣り合う複数の印刷紙片を有し、印刷の流れ方向に対して直角方向の少なくとも一つの端部に一定ピッチで連続する切欠が設けられていることを特徴とする広告用チラシ。
【請求項２】
一定ピッチで連続する切欠が、少なくとも一つ以上の折り線に対して位相がずれていることを特徴とする請求項１に記載の広告用チラシ。
【請求項３】
折り線が、印刷用紙の中心線から一定の長さだけずれていること特徴とする請求項１に記載の広告用チラシ。
【請求項４】
折り畳んだ時に生じる印刷紙片のズレ部分をインデックス部に利用したことを特徴とする請求項１〜３の何れかに記載の広告用チラシ。
【発明の詳細な説明】
【技術分野】
【０００１】
本発明は、印刷物の分野に属し、詳しくは、主として新聞等に折り込まれて配布される広告用チラシに関するものである。
【背景技術】
【０００２】
一般に、広告用チラシは、新聞折込み用のものが大半で、その他に通信販売用カタログ等の送付物に同梱されるケースがあるが、いずれも主体となる新聞、カタログ等のサイズと同等か又はそれより一回り小さく作製されるか、或いは折り畳まれるかして、他の多種類のチラシと一緒に同梱されるようになっている。したがって、広告主からすれば、ほぼ同サイズに重なり合ったチラシ群の中から自社のチラシを手に取ってもらうように目立たせることはできず、広告効率は必ずしも満足のいくものではなかった。また、生活者の側からしても、定期的に折り込まれているチラシを利用しているとはいえ、順番にチラシをめくっていかないと目当てのチラシを見つけることができないという利便性の点から問題があった。
【０００３】
一方、新聞等に折り込まれて配布される広告用チラシを長く生活者の手元に留めるものとして、チラシにスリットを形成するための切り込み線を形成し、予め紙面に印刷されたカレンダーをスリットを介して露出させるようにした変わりチラシが提案されているが、このタイプのチラシは、広告情報を掲載できる紙面の一部をカレンダーに割り当てないとならないものである。
【特許文献１】特開平９−８１０３８号公報
【発明の開示】
【発明が解決しようとする課題】
【０００４】
解決しようとする課題は、折り畳まれて矩形形状を呈するのが一般的な広告用チラシの形態を差別化し、着眼率を上げることで、生活者に手に取らせ、来店誘導や商品購入の促進を期待できるようにすることにある。
【課題を解決するための手段】
【０００５】
本発明の広告用チラシは、折り線を介して隣り合う複数の印刷紙片を有し、印刷の流れ方向に対して直角方向の少なくとも一つの端部に一定ピッチで連続する切欠が設けられていることを特徴としている。
【０００６】
そして、一定ピッチで連続する切欠が、少なくとも一つ以上の折り線に対して位相がずれていてもよいし、また、折り線が、印刷用紙の中心から一定の長さだけずれていてもよく、さらには、折り畳んだ時に生じる印刷紙片のズレ部分をインデックス部に利用するようにしてもよい。
【発明の効果】
【０００７】
本発明の広告用チラシは、端部が切欠のある変形したものとなるので、矩形形状に折り畳まれた画一的なチラシ群の中から異なる端部形状を手掛かりに、生活者は当該チラシを容易に探し出すことができる。また、広告主にとっては、着眼率をアップさせる広告用チラシを作製することができる。
【発明を実施するための最良の形態】
【０００８】
本発明の広告用チラシは、コストの点から、一般的な広告用チラシと同様、オフセット輪転機により印刷する。通常のオフセット輪転機は、給紙部とウェブパス部を経て印刷部へと印刷用紙を搬送し、印刷部にて印刷用紙に多色刷りを行ってから、乾燥・冷却部で印刷用紙上のインキを乾燥させた後、続く折機で印刷済みの印刷用紙を所定の形状に折り畳むように構成されている。この折機は、連続する印刷用紙を所定長さに断裁し、目的に応じて各種の折丁に折り畳んで排出する装置で、輪転印刷機に特有のものであり、紙の流れからいえば、三角折り装置、ニッピングローラ、断裁装置、くわえ折り装置、チョッパ折り装置、排紙装置の組合せで構成されている。
【０００９】
本発明の広告用チラシを作製するに際しては、シリンダー表面に所定パターンの切刃を有するダイカッターとそれに対向する受けローラとを使用し、これらを乾燥・冷却部と折機の間に設置する。そして、印刷された印刷用紙をダイカッターと受けローラの間を通すことによってその端部を切断し、さらに切断した部分を取り除くことで、印刷用紙の端部に一定ピッチで連続する切欠を形成した後、この端部に一定ピッチで連続する切欠を形成した印刷用紙を折機にかけることで本発明の広告用チラシを作製する。
【００１０】
図１は本発明に係る広告用チラシの作製手順を示す工程図である。この例の広告用チラシは、Ｂ２サイズの大判チラシを流れ方向の折り線とそれに直交する巾方向の折り線で２回折り畳んでＢ４サイズに仕上げる折込みチラシ作製工程に少し変形を加えることで作製することができる。
【００１１】
まず、印刷を施したＢ２サイズの印刷用紙１を流れ方向の折り線ａとなるところで折り畳む前に、波形の切刃を有するダイカッターにより、図１（ａ）に示す如く巾方向の両端部に一定ピッチで連続する波形の切り込み線αを入れ、次いで図１（ｂ）に示す如くその外側の耳部分１ａを除去する。この場合、両端部の切り込み線αは巾方向の折り線ｂとなるところに対し、波形の位相が半周期ずれるようにピッチを設定する。
【００１２】
続いて、両端部を切り欠かれた印刷用紙１を断裁装置により所定長さの枚葉紙２に断裁した後、くわえ折り装置により、図１（ｃ）〜（ｄ）に示す如く流れ方向の折り線ａでＢ３サイズに折り畳んでから、さらにチョッパ折り装置により、図１（ｅ）〜（ｆ）に示す如く巾方向の折り線ｂで折り畳むことにより、折り線ａ，ｂを介して隣り合う４つの印刷紙片を有し、しかも重なり合った印刷紙片によって位相のずれた山が見えるＢ４サイズの広告用チラシ３ができる。そして、この印刷紙片のズレの部分をインデックス部として使用し、アイキャッチ効果の高いチラシを作製することが可能となる。
【００１３】
図２は本発明に係る広告用チラシの別の作製手順を示す工程図である。この例の広告用チラシも、Ｂ２サイズの大判チラシを流れ方向の折り線とそれに直交する巾方向の折り線で２回折り畳んでＢ４サイズに仕上げる折込みチラシ作製工程に少し変形を加えることで作製することができる。
【００１４】
まず、印刷を施したＢ２サイズの印刷用紙１を流れ方向の折り線ａとなるところで折り畳む前に、波形の切刃を有するダイカッターにより、図２（ａ）に示す如く巾方向の両端部に一定ピッチで連続する波形の切り込み線αを入れ、次いで図２（ｂ）に示す如くその外側の耳部分１ａを除去する。この場合、両端部の切り込み線αは巾方向の折り線ｂとなるところに対し、波形の位相が半周期ずれるようにピッチを設定する。またこの例において流れ方向の折り線ａは、図２（ａ）に示す如く印刷用紙１における流れ方向の中心線ｃから一定の長さｘだけずれたところとする。
【００１５】
続いて、両端部を切り欠かれた印刷用紙１を断裁装置により所定長さの枚葉紙２に断裁した後、くわえ折り装置により、図２（ｃ）〜（ｄ）に示す如く流れ方向の折り線ａでＢ３サイズに折り畳んでから、さらにチョッパ折り装置により、図２（ｅ）〜（ｆ）に示す如く巾方向の折り線ｂで折り畳むことにより、折り線ａ，ｂを介して隣り合う４つの印刷紙片を有し、しかも、重なり合った印刷紙片で位相のずれた山が見えると共にずらし折りされた部分があるＢ４サイズの広告用チラシ３ができる。そして、この２通りの印刷紙片のズレの部分をインデックス部として使用し、よりアイキャッチ効果の高いチラシを作製することが可能となる。
【００１６】
以上、２つの例を挙げて本発明を具体的に説明したが、本発明の広告用チラシは、これらの具体例に限定されるものではなく、本発明の趣旨を逸脱しない範囲において種々の変更が可能であることは当然のことである。
【００１７】
例えば、上記の具体例では切欠の形状が円弧状の滑らかな波形であるが、この他に種々の形状が可能である。また、両端部を同じ形状に切り欠くことに限定されるものではなく、一端のみ切り欠くことも大きなアイキャッチ効果を得ることができる。
【００１８】
また、本発明の広告用チラシは、重なり合う印刷紙片で切欠の位相がずれてないくてもよく、この場合、端部に一定ピッチで連続する切欠があるだけの構成となるが、これでも従来のものに比べて大きなアイキャッチ効果がある。
【００１９】
また、上記の広告用チラシは、実用上のコストの点から、オフセット輪転機により作製しているが、コストに制約がなければ他の印刷方法で作製することも可能である。
【図面の簡単な説明】
【００２０】
【図１】本発明に係る広告用チラシの作製手順を示す工程図である。
【図２】本発明に係る広告用チラシの別の作製手順を示す工程図である。
【符号の説明】
【００２１】
１  印刷用紙
１ａ  耳部分
２  枚葉紙
３  広告用チラシ
ａ，ｂ  折り線
ｃ  中心線
α  切り込み線
【図１】
2005254466.tif 000003
【図２】
2005254466.tif 000004